(57)【要約】【課題】  温室ハウスの屋根に積雪した雪を全体的にムラなく融雪することができ、温室ハウス内での植物の栽培に際し、栽培用トレーを上下方向に多段載置させることで温室ハウス内スペースを有効利用させ、栽培用トレーを循環移動させることで温室ハウス内の上部と下部とで異なる栽培環境に的確に対応し、植物をムラなく生育させることができる植物栽培用設備の提供。【解決手段】  温室ハウス１内に多数の植物栽培装置６が配設された植物栽培用設備である。温室ハウスは、屋根が２枚の透明板材２０，２０を間に空間２１を保持して対向させた２重板構造に形成されると共に、前記空間内を通るように熱水供給系４が形成され、記植物栽培装置６は、栽培用トレー７０を上下方向に長く循環移動させる多段立体循環構造に形成されている。【選択図】  図２
0003129328.tif 000002
【実用新案登録請求の範囲】
【請求項１】
温室ハウス内に多数の植物栽培装置が配設された植物栽培用設備であって、
前記温室ハウスは、屋根が２枚の透明板材を間に空間を保持して対向させた２重板構造に形成されると共に、前記空間内を通るように熱水供給系が形成され、
前記植物栽培装置は、栽培用トレーを上下方向に長く循環移動させる多段立体循環構造に形成されていることを特徴とする植物栽培用設備。
【請求項２】
請求項１記載の植物栽培用設備において、前記熱水供給系は、２重板構造の空間内に屋根の棟部から熱水を流下させるように配管された屋根用配管と、前記温室ハウスの周辺路面に埋設される状態で前記屋根用配管の下流側に接続された路面用配管と、この路面用配管からの温水を回収する温水タンクと、この温水タンクの温水を加熱させて熱水を得る加熱ボイラと、この加熱ボイラからの温水を前記屋根用配管に送るための圧送ポンプを備えている植物栽培用設備。
【考案の詳細な説明】
【技術分野】
【０００１】
本考案は、主に、寒冷地等、多降雪地域を対象とし、野菜や果物等の植物を栽培するために設置する植物栽培用設備に関する。
【背景技術】
【０００２】
従来、温室ハウスの屋根に積雪した雪を温水の熱を利用して融かすための融雪装置を備えた植物栽培用設備が知られている（特許文献１参照）。
この従来の物栽培用設備は、融雪装置を構成する温水管が温室ハウスの屋根の外部に配管され、この温水管の熱によって雪を融かす構造になっていた。
【０００３】
しかしながら、上記のように温水管が温室ハウスの屋根の外部に配管されていると、この温水管に直接に接触している雪については、これを効果的に溶融させることができるが、温水管に接触してない雪については熱の伝達ができず、屋根の上に雪が融けた場所と、雪が残ったままの場所とが生じてしまう結果となる。
このように、従来の植物栽培用設備では、融雪を効果的かつ均一に行うことができず、このため屋根を透して行なわれる日照にムラが生じ、温室ハウス内の植物に育成不良が生じてしまうなどの問題につながる。
【０００４】
また、温室ハウス内での植物の栽培に際し、栽培用トレーを上下方向に多段載置させることで温室ハウス内スペースを有効利用することができるが、この場合、栽培用トレーを固定配置させると、温室ハウス内の上部と下部とでは、温度、湿度、日照等の栽培環境が異なるため、植物の生育にムラが生じ、その結果、品質にムラが生じてしまうことになる。
【特許文献１】特開２００２−１５３１４４号公報
【考案の開示】
【考案が解決しようとする課題】
【０００５】
本考案は、温室ハウスの屋根に積雪した雪を全体的にムラなく融雪することができ、かつ温室ハウス内での植物の栽培に際し、栽培用トレーを上下方向に多段載置させることで温室ハウス内スペースを有効利用させ、かつ栽培用トレーを循環移動させることで、温室ハウス内の上部と下部とで異なる栽培環境に的確に対応し、植物をムラなく生育させることができる植物栽培用設備を提供することを課題としている。
【課題を解決するための手段】
【０００６】
上記の課題を解決するために、本考案（請求項１）の植物栽培用設備は、
温室ハウス内に多数の植物栽培装置が配設された植物栽培用設備であって、
前記温室ハウスは、屋根が２枚の透明板材を間に空間を保持して対向させた２重板構造に形成されると共に、前記空間内を通るように熱水供給系が形成され、
前記植物栽培装置は、栽培用トレーを上下方向に長く循環移動させる多段立体循環構造に形成されている構成とした。
【０００７】
又、本考案（請求項２）の植物栽培用設備は、
請求項１記載の植物栽培用設備において、前記熱水供給系は、２重板構造の空間内に屋根の棟部から熱水を流下させるように配管された屋根用配管と、前記温室ハウスの周辺路面に埋設される状態で前記屋根用配管の下流側に接続された路面用配管と、この路面用配管からの温水を回収する温水タンクと、この温水タンクの温水を加熱させて熱水を得る加熱ボイラと、この加熱ボイラからの温水を前記屋根用配管に送るための圧送ポンプを備えている構成とした。
【考案の効果】
【０００８】
本考案では、温室ハウスの屋根が２重板構造に形成されているため、２枚の透明板材間の空間によって外気と断熱した状態で保温することができるし、透明板材を透して太陽光による日照を確保できる。
特に、２重板構造の空間内を通るように熱水供給系を形成したので、空間内の空気伝達によって屋根及び壁を全体的に温めることができる。
これにより屋根に積雪した雪に対して均等に加熱でき、従来と異なり、雪が融けた場所と、雪が残ったままの場所とが生じるといったことがなく、全体的にムラなく融雪することができ、ムラのない日照を確保できる。
【０００９】
又、本考案では、植物栽培装置が、数個の栽培用トレーを用いた多段立体循環構造に形成されているため、温室ハウス内スペースを有効利用することができるし、数個の栽培用トレーを循環移動させるため、温室ハウス内の上部と下部とで異なる栽培環境に的確に対応し、植物をムラなく生育させることができる。
【００１０】
又、前記熱水供給系に、屋根用配管の下流側に接続した路面用配管を設け、この路面用配管を温室ハウスの周辺路面に埋設することにより（請求項２）、この路面用配管の熱によって温室ハウスの周辺路面に積雪した雪を融かすことができ、雪かきをすることなく道路の通行を確保することができる。
【考案を実施するための最良の形態】
【００１１】
図１は本考案の植物栽培用設備における温室ハウスの実施例を示す斜視図、図２はこの温室ハウスの部分断面図である。
【００１２】
温室ハウス１は、柱１０及び梁１２により形成された骨組み枠によって屋根２及び壁３が支持されたプレハブ構造の建屋に形成され、前記屋根２が２枚の透明板材２０，２０を間に空間２１を保持して対向させた２重板構造に形成されている。
【００１３】
そして、前記２重板構造の空間２１内を通るように熱水供給系４が形成されている。
この熱水供給系４は、２重板構造の空間２１内に屋根２の棟部から熱水を流下させるように配管された屋根用配管４０と、前記温室ハウス１の周辺路面１５に埋設される状態で前記屋根用配管４０の下流側に接続された路面用配管４１と、この路面用配管４１からの温水を回収する温水タンク４２と、この温水タンク４２の温水を加熱させて熱水を得る加熱ボイラ４３と、この加熱ボイラ４３からの温水を前記屋根用配管４０に送るための圧送ポンプ４４を備えている。
【００１４】
前記屋根用配管４０は、屋根２の棟に沿って配管した上部管４０ａと、屋根２の軒に沿って配管した下部管４０ｂと、屋根２の傾斜に沿って前記上部管４０ａと下部管４０ｂの間に傾斜状態で一定間隔で配管された複数の蛇行管４０ｃによって枠状に形成されている。
そして、圧送ポンプ４４からの給水主管４５を屋根２の頂部に配管させ、この給水主管４５に各屋根用配管４０の上部管４０ａが接続されると共に、各屋根用配管４０の下部管４０ｂが排水主管４６に接続されている。
なお、蛇行管４０ｃを用いることで流下する熱水の滞留時間を調節させることができる。
【００１５】
なお、実施例の温室ハウス１は、壁３についても２枚の透明板材３０，３０を間に空間３１を保持して対向させた２重板構造に形成されており、このように壁３を２重板構造に形成した場合には、この壁３の空間にも屋根用配管４０に接続した壁用配管４７（蛇行管）を配管してもよい。
【００１６】
前記排水主管４６の先には路面用配管４１が接続され、この路面用配管４１は温室ハウス１への搬入出道路となる周辺路面１５に埋設されている。
実施例では、温室ハウス１の一方の妻側と一方の軒側の２方向路面に対して路面用配管４１を埋設したが、３方向路面や温室ハウス１の全周を囲む４方向路面に対して路面用配管４１を埋設してもよい。
即ち、前記路面用配管４１は、この路面用配管４１の熱による路面と地下との熱交換を利用した融雪システムを構成するもので、これにより路面の積雪や凍結を防止することができる。
【００１７】
従って、加熱ボイラ４３によって約１００℃に加熱された熱水は、圧送ポンプ４４によって給水主管４５を介して各屋根用配管４０に送水される。
この各屋根用配管４０を経た熱水は温度が低下した温水となって排水主管４６から路面用配管４１に送水され、この路面用配管４１を経た水は温水タンク４２に回収され、この回収された水が再び加熱ボイラ４３によって約１００℃の熱水に加熱され、以後は圧送ポンプ４４によって上述同様の経路を経た循環を繰り返すものである。
【００１８】
そして、前記各屋根用配管４０を通る熱水の熱によって屋根２に積雪した雪を融雪することができると共に壁３に付着した雪を融雪でき、さらに前記路面用配管４１を通る温水の熱によって周辺路面１５の雪を融雪することができる。
なお、このようにして屋根２や壁３、それに周辺路面１５で融かされた雪の水は、図示省略した側溝によって所定の場所に排水するようにしているが、前記温水タンク４２に回収してもよい。
【００１９】
次に、図３は本考案の植物栽培用設備における植物栽培装置の実施例を示す正面図、図４はこの植物栽培装置の側面図である。
【００２０】
この植物栽培装置６は、縦型フレーム６０，６０に左右一対の循環チェーン６１，６１が２個の上部スプロケット６２，６２と、２個の下部スプロケット６３，６３によって上下方向に長く掛け回され、この一対の循環チェーン６１，６１の間に数個（実施例では８個）の栽培用トレー７０が縣架状態に支持されている。
この栽培用トレー７０は左右に支持腕７１，７１が設けられ、この支持腕７１の上端部が前記循環チェーン６１に回転可能に連結され、支持腕７１の下端部に設けたローラ７２が縦型フレーム６０，６０に上下方向に設けたガイドレール７３，７３内に転動可能に通過できるように形成されている。
【００２１】
従って、電動モータ６５によって一対の循環チェーン６１，６１を駆動させると、この循環チェーン６１，６１間に取り付けた栽培用トレー７０が上下方向に循環移動する。
このように、栽培用トレー７０を上下方向に循環移動させることができるため、この栽培用トレー７０の上に栽培対象となる植物をプランター８等に植設して載置させておけば、栽培用トレー７０の多段構造によって温室ハウス１内のスペースを有効利用することができるし、栽培用トレー７０の循環移動によって温室ハウス１内の上部と下部とで異なる栽培環境に的確に対応し、植物をムラなく生育させることができる。
【００２２】
なお、本考案において、栽培用トレーの多段立体循環構造は、実施例で示した循環チェーンによる駆動方式に限られることはなく、わい曲アーム式の上下運動の駆動方式を用いることができる。
又、給水主管や排水主管等の外部に露出状態で配管されるものには、凍結防止用として保温カバー等を設けるのが好ましい。
また、加熱ボイラとして通常の石油やガス等を燃料としたものを使用し、又、電力について商用電力を使用できるが、本願出願人が既に出願し登録された飲料水と電力の移動供給装置（登録実用新案第３１２１１３５号）で用いた蒸気発生装置を利用することができる。
【００２３】
この蒸気発生装置は、チャンバーの内部に混成ガス発生装置から酸素／水素混成ガスを導入させると共に水蒸気（水でもよい）を供給させ、前記混成ガスをガスバーナによって燃焼させると同時に水蒸気を噴霧機により噴霧させて水蒸気爆発室で爆発燃焼させ、その燃焼熱でボイラ内の蒸気管の水を加熱させて水を加熱蒸発させ、その蒸気を蒸気タービンの作動で発電させるための発電機に導入させるようになっている。
【００２４】
又、植物栽培装置における栽培用トレーの段数は、２段〜１０段程度が適当と考える。
又、採光については、透明板材を透した太陽光の日照以外に、人工的な照明設備（例えば、紫外線、遠赤外線、発光ＬＥＤ等）を設けることができるし、温度、湿度、送風、炭酸ガス等の自動制御装置、水に肥料等を溶かした養液の自動供給装置を組み込むことができる。
【図面の簡単な説明】
【００２５】
【図１】本考案の植物栽培用設備における温室ハウスの実施例を示す斜視図である。
【図２】この温室ハウスの部分断面図である。
【図３】本考案の植物栽培用設備における植物栽培装置の実施例を示す正面図である。
【図４】この植物栽培装置の側面図である。
【符号の説明】
【００２６】
１  温室ハウス
１０  柱
１２  梁
１５  周辺路面
２  屋根
２０  透明板材
２１  空間
３  壁
３０  透明板材
３１  空間
４  熱水供給系
４０  屋根用配管
４０ａ  上部管
４０ｂ  下部管
４０ｃ  蛇行管
４１  路面用配管
４２  温水タンク
４３  加熱ボイラ
４４  圧送ポンプ
４５  給水主管
４６  排水主管
４７  壁用配管
６  植物栽培装置
６０  縦型フレーム
６１  循環チェーン
６２  上部スプロケット
６３  下部スプロケット
６５  電動モータ
７０  栽培用トレー
７１  支持腕
７２  ローラ
７３  ガイドレール
８  プランター
【図１】
0003129328.tif 000003
【図２】
0003129328.tif 000004
【図３】
0003129328.tif 000005
【図４】
0003129328.tif 000006